(57)【要約】  【課題】  体積が小さくできる（ダウンサイズ化）とともに、コストが低減できる電池パックを提供する。  【解決手段】  パック電池は、平面視矩形状の複数の角型電池２を積層した電池群と、複数の電池２間において、電池２の平面部分の外周に設けられた外周部８ｃと、電池２の一端面に設けられた保護回路基板６を保持する基板保持部８ｂとを備えるホルダー８と、ホルダー８の基板保持部８ｂを覆うキャップ４と、露出する電池２を覆う外装シート３とを備える。【選択図】      図１
2015043274.tif 000002
【特許請求の範囲】
【請求項１】
平面視矩形状の複数の角型電池を積層した電池群と、
前記複数の電池間において、前記電池の平面部分の外周に設けられた外周部と、前記電池の一端面に設けられた保護回路基板を保持する基板保持部とを備えるホルダーと、
前記ホルダーの基板保持部を覆うキャップと、
少なくとも前記キャップを除いて、露出する電池を覆う外装シートと、
を備えるパック電池。
【請求項２】
前記ホルダーの前記基板保持部及び前記キャップがそれぞれ凸部または凹部を有することにより、前記キャップが前記ホルダーに保持される請求項１のパック電池
【発明の詳細な説明】
【技術分野】
【０００１】
本発明は、電池パックに関する。
【背景技術】
【０００２】
以下の特許文献に示されるパック電池においては、扁平角型電池を２個積層した状態で、上、下ケースに収納している。
【先行技術文献】
【特許文献】
【０００３】
【特許文献１】特開2005-174707
【発明の開示】
【発明が解決しようとする課題】
【０００４】
上記の従来技術においては、ケースに収納されることより、その分、体積が大きくなると共に、コストアップとなる。
【０００５】
本発明は斯かる事情に鑑みてなされたものであり、体積が小さくできる（ダウンサイズ化）とともに、コストが低減できる電池パックを提供することを目的とする。
【課題を解決するための手段】
【０００６】
本発明のパック電池は、平面視矩形状の複数の角型電池を積層した電池群と、前記複数の電池間において、前記電池の平面部分の外周に設けられた外周部と、前記電池の一端面に設けられた保護回路基板を保持する基板保持部とを備えるホルダーと、前記ホルダーの基板保持部を覆うキャップと、少なくとも前記キャップを除いて、露出する電池を覆う外装シートと、を備える。また、前記ホルダーの前記基板保持部及び前記キャップがそれぞれ凸部または凹部を有することにより、前記キャップが前記ホルダーに保持される。
【発明の効果】
【０００７】
本発明においては、キャップがホルダーの基板保持部を覆うことより、保護回路基板等が衝撃等により破損することを低減できると共に、外装ラベルが露出する電池を覆うことにより、従来のようなケースを用いることに比べて、体積が小さくできる（ダウンサイズ化）とともに、コストが低減できる
【図面の簡単な説明】
【０００８】
【図１】本発明に係る電池パックの分解斜視図である。
【図２】本発明に係る電池パックの６面図であり、（ａ）は正面図（＝平面図）、（ｂ）は上面図、（ｃ）は底面図、（ｄ）は左側面図、（ｅ）は右側面図、（ｆ）は背面図である。
【図３】製造途中を示す図であり、（ａ）は正面図（＝平面図）、（ｂ）は上面図である。
【発明を実施するための形態】
【０００９】
以下では、本発明を実施するための最良の形態について、一例を用い説明する。
なお、以下の説明で用いる実施の形態は、本発明の構成および作用・効果を分かりやすく説明するために用いる一例であって、本発明は、その本質的な特徴部分以外に何ら以下の形態に限定を受けるものではない。
本実施の形態に係るパック電池１の構成について、図１〜３を用い説明する
。図１は、本実施の形態に係るパック電池１の分解斜視図であり、図２は、本実施の形態に係るパック電池１の外観を示す６面図であり、図３は、製造途中を示す図である。
【００１０】
図２に示すように、パック電池１は、外装シート３に覆われている。外装シート３は、一枚の電気絶縁紙を折り曲げおよび一部貼着することにより、箱状体にしたものであり、図１では、展開した状態で表している。
外装シート３は、図１における電池２（コアパック１０）の下面を覆う下面部３ｃ、側面を覆う側面部３ｓ、３ｓ、電池２（コアパック１０）底面を覆う底部３ｂ、後述するコアパックのキャップ４部分を覆うキャップ部３ｐ、この部分より延在し、折り返して貼られる上面部３ｕより構成されている。更に、側面部３ｓ、３ｓより延在して、内面に予め貼着された両面粘着テープ（図示せず）により貼着される貼着部３ｇ、３ｇを、備え、図２（ｆ）のように貼着されている。このような外装シートに代わって、少なくともキャップ４を除いて、露出する電池１（コアパック１０）を覆う外装シートであってもよい。
更には、外装シート３は、電池２（コアパック１０）に当接する側の面が粘着性を有するラベルであっても良い。このような外装シートに代わって、少なくともキャップ４を除いて、露出する電池１（コアパック１０）を覆う外装シートであってもよい。
パック電池１では、外装シート３により電池２における外装体の腐食や電食の防止、さらには外観品質の向上、強度の向上が図られる。また、外装シート３上には、パック電池の電気性能等を示す定格ラベル１３が貼られる。
【００１１】
パック電池１の構成の内、コアパック１０について、以下に説明する。
コアパック１０は、複数（本実施例では２つ）の角型の電池２，２が積層された状態（電池群）で、安全素子としてのＰＴＣ素子５、５のリード部５ｌ、５ｌが、電池２の凸電極２ｔ，２ｔにホルダー８の貫通孔８ｈ，８ｈを介して接続され、ＰＴＣ素子５、５のＰＴＣ素子本体５ｈ，５ｈ上の上リード板５ｕ、５ｕが、保護回路基板６の一端側リード板６ｏｌ、６ｏｌに接続されている。ここで、ＰＴＣ素子５、５は、ホルダー８の基板保持部８ｂの複数のリブ８ｌの間に、保持される。また、図１に示すように、電池２は、平面視矩形状であり扁平角型の外観形状を有するリチウムイオン二次電池であって、その封口板２ａには、負極端子として凸電極２ｔとして突設されている。
ＰＴＣ素子５，５のリード部５ｌ、５ｌと、保護回路基板６との間には、絶縁板９を配置し、絶縁を図っている。
【００１２】
一方、電池２の正極を構成する封口板２ａには、クラッド板１３、１３を介して、保護回路基板６の他端側リード板６ｔｌ、６ｔｌが接続されている。以上の接続により、２つの電池２は、並列に電気接続される。
【００１３】
樹脂製のホルダー８は、電池間において電池２の平面部分の外周に設けられた４角枠状の外周部８ｃと、電池２の一端面（封口板２ａの面）に設けられた保護回路基板６を保持する基板保持部８ｂとを備える。ホルダー８の外周部８ｃの一辺の両面に、両面テープ１２、１２を用いて、ホルダー８と、両電池１を固定する。
図３に示すようなパック電池１（コアパック１０）の製造途中の状態に、キャップ４を設置することで、コアパック１０が完成する。
樹脂製のキャップ４は、１面が開放された箱形の形状であり、キャップ４の両側面に設けられた凹部である穴４ｈ、４ｈ、４ｈ、４ｈ（図１においては、１側面しか図示していない）に、ホルダー８の基板保持部８ｂの両側面に設けられた凸部８ｔ、８ｔ、８ｔ、８ｔ（図１においては、１側面しか図示していない）を、嵌合することにより、キャップ４が、基板保持部８ｂを覆い、保持される。ここで、キャップ４の内側に凸部、ホルダー８の基板保持部８ｂの両側面に設けられた凹部である穴により、嵌合することで保持されることも可能である。
これにより、コアパック１０が完成し、上述のように、コアパック１０を、外装シート
３にて覆い、パック電池１が完成する。
【符号の説明】
【００１４】
２  電池
３  外装シート
４  キャップ
６  保護回路基板
８  ホルダー      ８ｃ外周部    ８ｂ基板保持部
【図１】
2015043274.tif 000003
【図２】
2015043274.tif 000004
【図３】
2015043274.tif 000005